(57)【特許請求の範囲】
【請求項１】
床面に設置可能な左右一対の支柱本体と、該支柱本体に伸縮可能に収容し、上端部を天板に回動可能に連結したスライド支柱と、支柱本体の内側に配置され、上端部を天板に回動可能に連結し、下端部を支柱本体間に架設した補強枠に連結し、かつ前記支柱本体よりも短小な左右一対のリンクと、上部を前記支柱本体に連結し、下部を前記支柱本体から離間して床面に設置可能にした左右一対の支持脚と、を備えた折畳みテーブルにおいて、前記スライド支柱を支柱本体よりも長尺に形成し、該スライド支柱の下端部を支柱本体の下端部に当接可能に設け、天板の水平姿勢を維持可能にするとともに、前記支柱本体の外側に軸を突設し、該軸に支持脚の上端部を回動または固定可能に連結したことを特徴とする折畳みテーブル。
【請求項２】
前記支持脚を軸を中心に回動し、支柱本体に隣接して平行に折り畳み可能にした請求項１記載の折畳みテーブル。
【発明の詳細な説明】
【０００１】
【発明の属する技術分野】
本発明は部品点数を大幅に低減し、簡単な構成で容易かつ安価に製作でき、天板の折り畳み操作とそのリセット操作を容易かつ速やかに行なえるとともに、天板の使用時は安定した使用状態を得られ、しかもスタッキングのコンパクト化と、梱包のコンパクト化と容易化を図れるようにした折畳みテーブルに関する。
【０００２】
【従来の技術】
従来の折り畳みテーブルは、例えば特開平１１−３１８５７１号公報のように、支柱の上端部にカムを形成したカムプレートを取り付け、該プレートに天板を保持する下枠を回動可能に枢着し、前記下枠にロックピンを突設したリンクレバーをレバーハンドルと同動可能に設け、前記レバーハンドルを回動操作し、ロックピンとカムとを係脱させて、天板の折り畳み状態またはその使用状態を形成するようにしていた。
【０００３】
しかし、この従来の折り畳みテーブルは、カムプレートやリンクレバー、レバーハンドル等を要して部品点数が多く、構成が複雑になって高価になるとともに、天板の折り畳み操作やリセット操作が複雑になり、またスタッキング時の天板と下枠との外端面寸法が概して大きいため、スタッキングのコンパクト化が不十分で効率が余り良くない等の問題があった。
【０００４】
【発明が解決しようとする課題】
本発明はこのような問題を解決し、部品点数を大幅に低減し、簡単な構成で容易かつ安価に製作でき、天板の折り畳み操作とそのリセット操作を容易かつ速やかに行なえるとともに、天板の使用時は安定した使用状態を得られ、しかもスタッキングのコンパクト化と、梱包のコンパクト化と容易化を図れるようにした折畳みテーブルを提供することを目的とする。
【０００５】
【課題を解決するための手段】
このため、請求項１の発明は、床面に設置可能な左右一対の支柱本体と、該支柱本体に伸縮可能に収容し、上端部を天板に回動可能に連結したスライド支柱と、支柱本体の内側に配置され、上端部を天板に回動可能に連結し、下端部を支柱本体間に架設した補強枠に連結し、かつ前記支柱本体よりも短小な左右一対のリンクと、上部を前記支柱本体に連結し、下部を前記支柱本体から離間して床面に設置可能にした左右一対の支持脚と、を備えた折畳みテーブルにおいて、前記スライド支柱を支柱本体よりも長尺に形成し、該スライド支柱の下端部を支柱本体の下端部に当接可能に設け、天板の水平姿勢を維持可能にするとともに、前記支柱本体の外側に軸を突設し、該軸に支持脚の上端部を回動または固定可能に連結し、従来のようなカムプレ−トやリンクレバ−、レバ−ハンドル等の部品を廃し、部品点数を大幅に低減して構成を簡単にし、容易かつ安価に製作できるとともに、天板の安定した使用状態を得られ、しかも梱包のコンパクト化と組み立ての容易化に応じられるようにしている。
請求項２の発明は、前記支持脚を軸を中心に回動し、支柱本体に隣接して平行に折り畳み可能にし、天板の折り畳み状態と相俟って、梱包のコンパクト化と容易化を図れるようにしている。
【０００７】
【発明の実施の形態】
以下、本発明の実施の形態を図面により説明すると、図１乃至図８において１は横長矩形の天板で、その下面に略Ｕ字形状の合成樹脂製の固定バンド２，３が左右に一対づつビス止めされ、該バンド２，３の湾曲状の保持片２ａ，３ａに支持枠４，５が軸回りに回動可能に収容されている。
【０００８】
支持枠４，５は同径の円管材で構成され、このうち支持枠４は支持枠５より若干長尺に形成されていて、これら支持枠４，５の両端部に円管材からなるスライド支柱６，６とリンク７，７とが平行に突設されている。
【０００９】
前記スライド支柱６は、円管材からなる支柱本体８と共に同軸状の支柱を伸縮可能に構成しており、該支柱を床面に斜状に立設している。すなわち、スライド支柱６は図３のように、合成樹脂製のカラー９を介して支柱本体８に摺動可能に嵌合し、該支柱本体８，８の中高部を楕円管材からなる補強枠１０で連結している。
【００１０】
前記補強枠１０の背面部に一対のヒンジ１１が溶接等で固定され、該ヒンジ１１は図４のように断面略コ字形状に形成され、その上端部に略勾玉状の一対の突片１１ａが設けられ、この突片１１ａ，１１ａ間に前記リンク７の下端部が、ピン１２を介して前後方向へ起倒可能に連結されている。
図中、１３，１４は突片１１ａおよびリンク７の下端部に形成したピン孔、１５は支柱本体８の下端部を閉塞するキャップで、天板１の使用時、スライド支柱６の下端部と当接可能にされている。
【００１１】
前記支柱本体８の上部周面に短小な軸１６が側方に突設され、該軸１６に支持脚１７と一体の回動リング１８を嵌合している。
前記回動リング１８は、テーブルの組み立て前に軸１６と回動可能に嵌合して、支持脚１７を支柱本体８と平行かつ略同一平面上に折り畳み可能にされ、梱包等のコンパクト化を促すようにしている。
【００１２】
一方、テーブルを組み立てる際、回動リング１８の所定の回動角度位置でビス１９を軸１６にねじ込み、支持脚１７を支柱本体８と所定の角度で取り付け可能にしている。図中、２０は回動リング１８の外端部を閉塞するキャップである。
【００１３】
この他、２１は支持脚１７の下端部を閉塞するキャップ、２２，２３は支柱本体８および支持脚１７の下端部に取り付けたキャスターで、床面２４上を走行可能にされている。
【００１４】
このように構成した折畳みテーブルは、従来のカムプレートやリンクレバー、レバーハンドル等を要しないから、部品点数が大幅に低減され、その分構成が簡単になり、これを容易かつ安価に製作できる。
【００１５】
本発明の折畳みテーブルは大別すると、図２のように支持枠４，５の両端部に一対のスライド支柱６，７を突設したアセンブリと、一対の支柱本体８，８を補強枠１０で連結し、該連結枠１０の背部に一対のヒンジ１１を溶接し、更に支柱本体８，８の上部周面に軸１６，１６を溶接したアセンブリと、支持脚１７の上端部に回動リング１８を溶接したアセンブリとに分かれる。
【００１６】
前記アセンブリを組み立てる場合は、例えば天板１の下面の所定位置に固定バンド２，３をビス止めし、それらの各保持片２ａ，３ａ間に支持枠４，５を回動可能に取り付ける。
また、ヒンジ１１の各突片１１ａ，１１ａ間にリンク７の下端部を差し込み、これらをピン１２を介して回動可能に連結する。
次に支柱本体８の上端部にカラー９を嵌め込み、該カラー９にスライド支柱６を差し込み、また前記軸１６に支持脚１７と一体の回動リング１８を嵌め込む。
【００１７】
前記組み立て状況の下では、スライド支柱６は支柱本体８と摺動可能に嵌合し、また前記支柱６の上端部は、固定バンド２および支持枠４を介して天板１を回動可能に取り付けられている。
一方、リンク７の上端部は固定バンド２を介して天板１を回動可能に連結し、その下端部はピン１２を介して補強枠１０に回動可能に連結され、回動リング１８は軸１６に回動可能に嵌合している。
【００１８】
したがって、例えばリンク７をピン１２を中心に内側へ回動すると、天板１が支持枠４を支点に内側へ折り畳まれ、その分スライド支柱６が伸長して、天板１とスライド支柱６とリンク７と支柱本体８とが互いに略平行平面上に密着して折り畳まれる。この状況は例えば図７のようである。
【００１９】
そこで、支持脚１７を回動リング１８を中心に回動し、これを支柱本体８に隣接して平行に位置付ければ、前記テーブルは略平行平面上に密着して折り畳まれる。したがって、この状態で梱包すれば、梱包が容易かつコンパクトになり、梱包後の取り扱いも容易になる。
【００２０】
次に前記梱包状態のテーブルを実使用状態に組み立てる場合は、支持脚１７を回動リング１８を中心に後方へ回動し、支柱本体８に対し支持脚１７を所定角度に位置付けたところで、ビス１９を軸１６にねじ込み、支持脚１７を支柱本体８に固定する。この後、キャスター２２，２３を介してテーブルを床面２４上に設置する。この状況は図７のようである。
【００２１】
次に天板１の両側端部を保持し、これをピン１２を支点に軽く押し下げる。
このようにすると、スライド支柱６が押し下げられて縮小し、その下端部がキャップ１５に当接して停止位置を保持され、代わりにリンク７がピン１２を支点に起立し、それらの作動が停止したところで天板１が水平に設定され、図１のような使用状態が得られる。
【００２２】
このように前記操作には従来のようなレバーハンドルの操作や、ロックピンとカムプレートとの係合作動を要しないから、円滑かつ手際良く行なえる。
前記使用時には、リンク７と支柱本体８とスライド支柱６と支持脚１７とが一種の筋交いとして機能し、更に天板１とリンク７と支柱本体８およびスライド支柱６とが三角形のトラス構造を形成しているから、堅牢な支持構造を得られる。
【００２３】
しかも、テーブル使用時に天板１の前端部に荷重Ｆ１が作用すると、リンク７の上端部の枢軸部である支持枠５は、その下端部の枢軸であるピン１２の直上位置よりも前方に位置しているから、リンク７はピン１２を支点に図１上反時計方向に回動指向し、該リンク７の折り畳み方向と相違するから、前記荷重Ｆ１によって天板１は折り畳まれない。
【００２４】
一方、テーブル使用時に天板１の後端部に荷重Ｆ２が作用すると、スライド支柱６の下端部がキャップ１５に当接し、前記荷重Ｆ２に抗してその押し下がりを阻止するとともに、前記スライド支柱６の縮小変位は天板１の折り畳み方向と相違するから、前記荷重Ｆ２によっても天板１は折り畳まれない。したがって、テーブルの安全な使用状態が得られる。
【００２５】
次にテーブル使用後、天板１を折り畳んで所定位置に保管する場合は、天板１の後端部の両側を保持して引き上げる。
このようにすると、図６のようにスライド支柱６が伸長し、リンク７がピン１２を支点に内側へ引き寄せられて回動し、前記支柱６が最大変位伸長したところで、リンク７がスライド支柱６および支柱本体８と平行平面上に略密着状態で折り畳まれる。したがって、天板１が所定高さ位置に保持され、これがずれ落ちたり原状を回復することはない。この状況は図７のようである。
【００２６】
このような状況でキャスター２２，２３を介してテーブルを所定位置へ移動し、折り畳み後の後行のテーブルを先行のテーブルの背後に移動する。
その際、支柱本体８，８を先行のテーブルの支持脚１７，１７の外側または内側に隣接して位置付け、以降、支柱本体８，８を先行のテーブルの支持脚１７，１７の外側または内側に交互に位置付ける。この状況は図８のようである。
【００２７】
このようなスタッキング時には、天板１と支柱本体８との外端面寸法ｅは、天板１の板厚と支柱本体８の外径との相加量で、従来のものに比べて非常に小さいから、先後のテーブルを密着して位置付けられ、スタッキングスペースがコンパクトになりスタッキング効率が向上する。
【００２８】
【発明の効果】
以上のように、請求項１の発明は、スライド支柱を支柱本体よりも長尺に形成し、該スライド支柱の下端部を支柱本体の下端部に当接可能に設け、天板の水平姿勢を維持可能にするとともに、前記支柱本体の外側に軸を突設し、該軸に支持脚の上端部を回動または固定可能に連結したから、従来のようなカムプレ−トやリンクレバ−、レバ−ハンドル等の部品を廃し、部品点数を大幅に低減して構成を簡単にし、容易かつ安価に製作できるとともに、天板の安定した使用状態を得られ、しかも梱包のコンパクト化と組み立ての容易化に応じられる効果がある。
請求項２の発明は、前記支持脚を軸を中心に回動し、支柱本体に隣接して平行に折り畳み可能にしたから、天板の折り畳み状態と相俟って、梱包のコンパクト化と容易化を図ることができる。
【図面の簡単な説明】
【図１】本発明の実施の形態を示す正面図で、支柱を縮小して天板をリセットした使用状態を示している。
【図２】本発明の要部を分解して示す斜視図である。
【図３】本発明の要部を分解して示す斜視図で、スライド支柱とカラーと支柱本体との組み付け状態を示している。
【図４】本発明の要部を分解して示す斜視図で、リンクとヒンジと補強枠との組み付け状態を示している。
【図５】本発明の要部を示す断面図で、軸と支持脚との組み付け状態を示している。
【図６】本発明の使用状態を示す正面図で、天板の折り畳み途中の状況を示している。
【図７】本発明の使用状態を示す正面図で、天板の折り畳み後の状況を示している。
【図８】本発明のスタッキングの状態を示す正面図である。
【符号の説明】
１                      天板
６                      支柱（スライド支柱）
７                      リンク
８                      支柱（支柱本体）
１６                      軸
１７                      支持脚
【図１】
0004514281.tif 000002
【図３】
0004514281.tif 000003
【図２】
0004514281.tif 000004
【図４】
0004514281.tif 000005
【図５】
0004514281.tif 000006
【図６】
0004514281.tif 000007
【図７】
0004514281.tif 000008
【図８】
0004514281.tif 000009